(57)【要約】      （修正有）【課題】ユーザーの指の電子装置のタッチパネルにおけるタッチ範囲に基づいて、電子装置の入力インタフェースの表示エリアを確定する。【解決手段】ユーザーの指の電子装置のタッチパネルにおけるタッチ範囲に基づいて、電子装置の入力インタフェースが表示される際の第一表示エリア及び第二表示エリアを設定して、電子装置の入力インタフェースが起動された時に、前記入力インタフェースの第一ソフトキーボード及び第二ソフトキーボードを獲得して、前記第一ソフトキーボードに対してズーム操作を行なって、前記第一ソフトキーボードを第一表示エリアの内部に表示させ、前記第二ソフトキーボードに対してズーム操作を行なって、前記第二ソフトキーボードを第二表示エリア内に表示させる。【選択図】図４
2013186901.tif 000002
【特許請求の範囲】
【請求項１】
ユーザーの指の電子装置のタッチパネルにおけるタッチ範囲に基づいて、電子装置の入力インタフェースが表示される際の第一表示エリア及び第二表示エリアを設定するための設定モジュールと、
電子装置の入力インタフェースが起動された時に、この入力インタフェースの第一ソフトキーボード及び第二ソフトキーボードを獲得するための獲得モジュールと、
前記第一ソフトキーボードに対してズーム操作を行なって、前記第一ソフトキーボードを前記第一表示エリア内に表示させるための第一表示モジュールと、
前記第二ソフトキーボードに対してズーム操作を行なって、前記第二ソフトキーボードを前記第二表示エリア内に表示させるための第二表示モジュールと、
を備えることを特徴とする入力インタフェースの表示システム。
【請求項２】
前記設定モジュールで前記第一表示エリア及び前記第二表示エリアを設定する際に、前記電子装置のタッチパネルにおけるタッチエリアを確定し、ユーザーの指が前記タッチパネルで描いた第一軌跡及び第二軌跡を受信して、前記第一軌跡及び前記第二軌跡から代表点をそれぞれ選び取り、且つこの選び取った代表点の座標値を前記電子装置のメモリーに格納し、前記第一軌跡の代表点の座標値に基づいて第一表示エリアを確定し、前記第二軌跡の代表点の座標値に基づいて第二表示エリアを確定することを特徴とする請求項１に記載の入力インタフェースの表示システム。
【請求項３】
前記第一軌跡及び前記第二軌跡の代表点は、前記第一軌跡及び前記第二軌跡の始点、中間点及び終点を備えることを特徴とする請求項２に記載の入力インタフェースの表示システム。
【請求項４】
前記第一表示エリアは、前記第一軌跡の始点及び中間点に基づいて区画された多角形である或いは前記第一軌跡の始点及び終点を対角線として区画された矩形であり、前記第二表示エリアは、前記第二軌跡の始点及び中間点に基づいて区画された多角形である或いは前記第二軌跡の始点及び終点を対角線として区画された矩形であることを特徴とする請求項２又は３に記載の入力インタフェースの表示システム。
【請求項５】
ユーザーの指の電子装置のタッチパネルにおけるタッチ範囲に基づいて、電子装置の入力インタフェースが表示される際の第一表示エリア及び第二表示エリアを設定する設定ステップと、
電子装置の入力インタフェースが起動された時に、この入力インタフェースの第一ソフトキーボード及び第二ソフトキーボードを獲得する獲得ステップと、
第一表示モジュールで前記第一ソフトキーボードに対してズーム操作を行なって、前記第一ソフトキーボードを前記第一表示エリア内に表示させる第一表示ステップと、
第二表示モジュールで前記第二ソフトキーボードに対してズーム操作を行なって、前記第二ソフトキーボードを前記第二表示エリア内に表示させる第二表示ステップと、
を備えることを特徴とする入力インタフェースの表示方法。
【請求項６】
前記設定ステップは、具体的に前記電子装置のタッチパネルにおいてタッチエリアを確定し、ユーザーの指が前記タッチパネルで描いた第一軌跡及び第二軌跡を受信して、前記第一軌跡及び前記第二軌跡から代表点をそれぞれ選び取り、且つこの選び取った代表点の座標値を前記電子装置のメモリーに格納し、前記第一軌跡の代表点の座標値に基づいて第一表示エリアを区画し、前記第二軌跡の代表点の座標値に基づいて第二表示エリアを確定することを含むことを特徴とする請求項５に記載の入力インタフェースの表示方法。
【請求項７】
前記第一表示ステップは、前記第一ソフトキーボードの頂点を前記第一軌跡の中間点の位置に一致させた後、前記第一ソフトキーボードに対してズーム操作を行なうことにより、前記第一ソフトキーボードの前記第一表示エリア内で占めた範囲を、予定の割合に設定させることを特徴とする請求項５に記載の入力インタフェースの表示方法。
【請求項８】
前記第二表示ステップは、前記第二ソフトキーボードの頂点を前記第二軌跡の中間点の位置に一致させた後、前記第二ソフトキーボードに対してズーム操作を行なうことにより、前記第二ソフトキーボードの前記第二表示エリア内で占めた範囲を、予定の割合に設定させることを特徴とする請求項５に記載の入力インタフェースの表示方法。
【発明の詳細な説明】
【技術分野】
【０００１】
本発明は、入力インタフェースの表示システム及びその表示方法に関するものである。
【背景技術】
【０００２】
現在、薄くて軽く、且つ携帯し易いことから、タブレットパソコンは、消費者に人気がある。
【０００３】
電子装置の入力インタフェースは、一般的に、電子装置のスクリーンの下方区域に位置する。従って、ユーザーは、両手でタブレットパソコンを把持して、左右の親指で入力操作を行なう場合、スクリーンの入力インタフェースの中間区域（図１の中の区域Ａ）まではなかなか届かないため、このような場合、ユーザーは、タブレットパソコンを机等に置いて、両手でタッチ操作を行なうか或いは片方の手でタブレットパソコンを把持し、もう片方の手でタッチ操作を行なう。しかし、このような入力方式は、入力効率が低く、操作に不便であり、手が疲れ易い等の問題がある。
【発明の概要】
【発明が解決しようとする課題】
【０００４】
以上の問題点に鑑みて、本発明は、ユーザーの指の電子装置のタッチパネルにおけるタッチ範囲に基づいて、電子装置の入力インタフェースの表示エリアを確定し、異なるユーザーの手のひらのサイズによって、入力インタフェースをユーザーの親指がタッチできる範囲内に表示させる入力インタフェースの表示システム及びその表示方法を提供することを目的とする。
【課題を解決するための手段】
【０００５】
上記の課題を解決するために、本発明に係る入力インタフェースの表示システムは、ユーザーの指の電子装置のタッチパネルにおけるタッチ範囲に基づいて、電子装置の入力インタフェースが表示される際の第一表示エリア及び第二表示エリアを設定するための設定モジュールと、電子装置の入力インタフェースが起動された時に、この入力インタフェースの第一ソフトキーボード及び第二ソフトキーボードを獲得するための獲得モジュールと、前記第一ソフトキーボードに対してズーム操作を行なって、前記第一ソフトキーボードを前記第一表示エリア内に表示させるための第一表示モジュールと、前記第二ソフトキーボードに対してズーム操作を行なって、前記第二ソフトキーボードを前記第二表示エリア内に表示させるための第二表示モジュールと、を備える。
【０００６】
また、上記の課題を解決するために、本発明に係る入力インタフェースの表示方法は、ユーザーの指の電子装置のタッチパネルにおけるタッチ範囲に基づいて、電子装置の入力インタフェースが表示される際の第一表示エリア及び第二表示エリアを設定する設定ステップと、電子装置の入力インタフェースが起動された時に、この入力インタフェースの第一ソフトキーボード及び第二ソフトキーボードを獲得する獲得ステップと、第一表示モジュールで前記第一ソフトキーボードに対してズーム操作を行なって、前記第一ソフトキーボードを前記第一表示エリア内に表示させる第一表示ステップと、第二表示モジュールで前記第二ソフトキーボードに対してズーム操作を行なって、前記第二ソフトキーボードを前記第二表示エリア内に表示させる第二表示ステップと、を備える。
【発明の効果】
【０００７】
従来の技術と異なり、本発明に係る入力インタフェースの表示システム及び表示方法は、ユーザーの指（例えば、親指）の電子装置のタッチパネルにおけるタッチ範囲に基づいて、電子装置の入力インタフェースの表示エリアを確定するため、異なるユーザーの手のひらのサイズに基づいて、入力インタフェースをユーザーの親指がタッチできる範囲内に表示させることができる。
【図面の簡単な説明】
【０００８】
【図１】従来の技術に係る電子装置の入力インタフェースを示す図である。
【図２】本発明の実施形態に係る電子装置の構造を示す図である。
【図３】本発明の実施形態に係る入力インタフェースの表示システムの機能モジュールを示す図である。
【図４】本発明の実施形態に係る入力インタフェースの表示方法のフローチャートである。
【図５】ユーザーの親指が電子装置のタッチパネル上で描いた第一曲線及び第二曲線を示す図である。
【図６】図５に表された第一曲線及び第二曲線に基づいて区画した第一表示エリア及び第二表示エリアを示す図である。
【図７】入力インタフェースの英文ソフトキーボード及び符号ソフトキーボードにより分割されて成る第一ソフトキーボード及び第二ソフトキーボードを示す図である。
【図８】図７に表された英文ソフトキーボードを第一表示エリア及び第二表示エリアにそれぞれ表示させた状態を示す図である。
【図９】図７に表された符号ソフトキーボードを第一表示エリア及び第二表示エリアにそれぞれ表示させた状態を示す図である。
【発明を実施するための形態】
【０００９】
図２に示すように、本発明の実施形態に係る電子装置２は、データバスを介して互いに接続されているタッチパネル２０、電源システム２２、メモリー２３、入力インタフェース表示システム２４及びプロセッサ２５を備える。なお、本発明は、電子装置２の構造に対してのみ簡略に説明するが、電子装置２は、電子回路システム、音響システム、入出力（Ｉ／Ｏ）ポート、電池、コントローラ等の他の電子部品を備えるのは勿論である。
【００１０】
タッチパネル２０は、抵抗式タッチパネル或いは容量式タッチパネル等のマルチタッチパネルをサポートすることができるタッチパネルである。電源システム２２は、電子装置２に電力を提供する。
【００１１】
メモリー２３は、入力インタフェース表示システム２４のプログラムコード等の情報を格納することに用いられる。本実施形態において、入力インタフェース表示システム２４は、ユーザーの親指のタッチパネル２０におけるタッチ範囲に基づいて、電子装置２の入力インタフェースの表示エリアを確定する。具体的な過程は、下記の通りである。
【００１２】
本実施形態において、入力インタフェース表示システム２４は、１つ或いは複数のモジュールに分けられる。この１つ或いは複数のモジュールは、メモリー２３の中に格納され且つ１つ或いは複数のプロセッサ２５により実行される（本実施形態においては、１つのプロセッサ２５を採用する）。例を挙げると、図３に示したように、入力インタフェース表示システム２４は、設定モジュール２０１、獲得モジュール２０２、第一表示モジュール２０３及び第二表示モジュール２０４に分割される。本発明の各モジュールは、ある特定の機能を実現するためのプログラムである。これらのプログラムを電子装置２の読み込み可能なメモリー或いは他の記憶装置の中に格納した後、電子装置２の処理ユニットを介して前記プログラムを実行することによって、本発明の入力インタフェースの表示方法の流れが完成する。
【００１３】
以下、本発明の実施形態に係る入力インタフェースの表示方法のフローチャートについて詳細に説明する。図４に示したように、本発明の入力インタフェースの表示方法は、以下のステップを備える。
【００１４】
ステップＳ１において、設定モジュール２０１は、ユーザーの親指のタッチパネル２０におけるタッチ範囲に基づいて、電子装置２の入力インタフェースを表示する際の第一表示エリア及び第二表示エリアを設定し、且つ設定した前記第一表示エリア及び前記第二表示エリアをメモリー２３の中に保存する。この設定操作は、ユーザーが初めて電子装置２の入力方法を使用する際に行なうものである。その具体的なステップは、下記の通りである。
【００１５】
（１）設定モジュール２０１は、タッチパネル２０におけるタッチエリアを確定する。本実施形態において、前記タッチエリアは、タッチパネル２０の表示エリアの全体である。
【００１６】
（２）設定モジュール２０１は、ユーザーの左右の親指がタッチパネル２０上で描いた第一軌跡及び第二軌跡を受信して、当該第一軌跡及び第二軌跡上の代表点をそれぞれ選び取り、且つこの選び取った代表点の座標値をメモリー２３に格納する。前記第一軌跡及び第二軌跡は、曲線、円弧線及び直線等であることができる。また、前記第一軌跡及び第二軌跡の代表点は、各自の始点、中間点及び終点を含むが、これらの点に限定されるものではない。
【００１７】
例えば、図５に示したように、ユーザーが、両手で電子装置２を把持した後、親指でタッチパネル２０の左右両側の縁からタッチパネル２０の下側の縁に向けて円弧線を描く。この時、第一曲線３０及び第二曲線４０を得る。第一曲線３０の代表点は、第一曲線３０の始点Ｃ１１（０，３００）、中間点Ｃ１２（２８０，３２０）及び終点Ｃ１３（３００，０）である。第二曲線４０の代表点は、第二曲線４０の始点Ｃ２１（１０２４，３００）、中間点Ｃ２２（７４４，３２０）及び終点Ｃ２３（７２４，０）である。ここで、タッチパネル２０の解析度は１０２４*６００であり、即ちＸ座標の最大値は１０２４であり、Ｙ座標の最大値は６００であり、座標系原点（０，０）はタッチパネル２０の左上角に位置している。
【００１８】
（３）設定モジュール２０１は、第一軌跡の代表点の座標値に基づいて、第一表示エリア３１０を確定し、且つ第二軌跡の代表点の座標値に基づいて、第二表示エリア４１０を確定する。
【００１９】
例えば、図６に示したように、第一表示エリア３１０は、第一曲線３０の始点Ｃ１１及び中間点Ｃ１２に基づいて区画された多角形である。第二表示エリア４１０は、第二曲線４０の始点Ｃ２１及び中間点Ｃ２２に基づいて区画された多角形である。
【００２０】
また、他の実施形態において、第一表示エリア３１０は、第一曲線３０の始点Ｃ１１及び終点Ｃ１３を対角線として区画された矩形である。第二表示エリア４１０は、第二曲線４０の始点Ｃ２１及び終点Ｃ２３を対角線として区画された矩形である。
【００２１】
また、他の実施形態において、設定モジュール２０１は、ユーザーの他の指（例えば人差し指）のタッチパネル２０におけるタッチ範囲に基づいて、上記の第一表示エリア３１０及び第二表示エリア４１０を区画する。
【００２２】
ステップＳ２において、ユーザーが文字等の情報を入力する必要があれば、電子装置２の入力インタフェースを起動する。本実施形態において、前記入力インタフェースは、予め左右２つの部分に分けられて、第一ソフトキーボード及び第二ソフトキーボードを備える。
【００２３】
図７に示したように、前記入力インタフェースは、英文ソフトキーボード及び符号ソフトキーボードを備え、この英文ソフトキーボード及び符号ソフトキーボードは、何れも予め左右２つの部分に設計されている。即ち、英文ソフトキーボードは、第一英文ソフトキーボード及び第二英文ソフトキーボードに分けられ、符号ソフトキーボードは、第一符号ソフトキーボード及び第二符号ソフトキーボードに分けられる。
【００２４】
ステップＳ３において、獲得モジュール２０２は、前記入力インタフェースの第一ソフトキーボード及び第二ソフトキーボードを獲得する。本実施形態において、第一ソフトキーボードは、第一英文ソフトキーボード及び第二英文ソフトキーボードを備え、第二ソフトキーボードは、第一符号ソフトキーボード及び第二符号ソフトキーボードを備える。
【００２５】
ステップＳ４において、第一表示モジュール２０３は、前記第一ソフトキーボードに対してズーム操作（ズームイン／ズームアウト）を行なって、前記第一ソフトキーボードを第一表示エリア３１０内に表示させる。
【００２６】
ステップＳ５において、第二表示モジュール２０４は、前記第二ソフトキーボードに対してズーム操作を行なって、前記第二ソフトキーボードを第二表示エリア４１０内に表示させる。また、ステップＳ４及びステップＳ５の前後の順番に対する制限はない。つまり、先ずステップＳ５を実行した後に、ステップＳ４を実行しても良い。或いは、ステップＳ４及びステップＳ５を同時に実行しても良い。
【００２７】
また、上記の実施形態において、電子装置２のシステムは、第一英文ソフトキーボード及び第二英文ソフトキーボードを、第一表示エリア３１０及び第二表示エリア４１０内にそれぞれ表示させることをデフォルトする。
【００２８】
図８に示すように、第一英文ソフトキーボードの頂点を、第一曲線３０の中間点Ｃ１２と一致させてから、前記第一英文ソフトキーボードに対してズーム操作を行なって、前記第一英文ソフトキーボードの第一表示エリア３１０内で占める範囲を、予定の割合に設定する。例えば、前記予定の割合は９５％であり、前記第一英文ソフトキーボードのサイズが、第一表示エリア３１０の範囲を超えた場合、前記第一英文ソフトキーボードのサイズを第一表示エリア３１０の９５％に縮小する。また、前記第一英文ソフトキーボードのサイズが、第一表示エリア３１０の範囲の９５％より小さい場合、前記第一英文ソフトキーボードのサイズを第一表示エリア３１０の９５％に拡大する。
【００２９】
同じように、第二英文ソフトキーボードの頂点を、第二曲線４０の中間点Ｃ２２と一致させてから、前記第二英文ソフトキーボードに対してズーム操作を行なうことにより、前記第二英文ソフトキーボードの第二表示エリア４１０内で占める範囲を、予定の割合に設定する。
【００３０】
ユーザーは、符号ソフトキーボードを使用したい場合、英文ソフトキーボードに予め設定された押しボタン（例えば、第一英文ソフトキーボードの左下角の押しボタン）或いはタッチパネル２０に予め設けられたアイコンを選択的にタッチすることにより、当面表示された英文ソフトキーボードを符号ソフトキーボードに切り換えることができる。これにより、タッチパネル２０の第一表示エリア３１０は第一符号ソフトキーボードを表示し、第二表示エリア４１０は第二符号ソフトキーボードを表示する（図９を参照）。
【００３１】
前記第一符号ソフトキーボード及び前記第二符号ソフトキーボードの表示方法は、第一英文ソフトキーボード及び第二英文ソフトキーボードの表示方法と同じであるため、ここでの詳しい説明は省略する。図９に示したように、ユーザーは、指で左右方向に第一符号ソフトキーボード或いは第二符号ソフトキーボードをスライドすることにより、更に多くの入力インターフェースを選択することができる。
【００３２】
上記の実施形態から分かるように、異なる手のひらが描いた第一曲線３０及び第二曲線４０も異なるため、区画された第一表示エリア３１０及び第二表示エリア４１０も異なる。そこで、本発明は、ユーザーの親指が電子装置のタッチパネルでのタッチ範囲に基づいて、電子装置の入力インタフェースの表示エリアを確定して、異なるユーザーの手のひらのサイズによって、入力インタフェースをユーザーの親指がタッチできる範囲内に表示させることができる。
【００３３】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００３４】
２        電子装置
２０      タッチパネル
２２      電源システム
２３      メモリー
２４      入力インタフェース表示システム
２５      プロセッサ
３０      第一曲線
４０      第二曲線
２０１    設定モジュール
２０２    獲得モジュール
２０３    第一表示モジュール
２０４    第二表示モジュール
３１０    第一表示エリア
４１０    第二表示エリア
【図１】
2013186901.tif 000003
【図２】
2013186901.tif 000004
【図３】
2013186901.tif 000005
【図４】
2013186901.tif 000006
【図５】
2013186901.tif 000007
【図６】
2013186901.tif 000008
【図７】
2013186901.tif 000009
【図８】
2013186901.tif 000010
【図９】
2013186901.tif 000011